(57)【要約】【課題】ビット長の長いディジタルオーディオデータも記録再生できるようにするとともに、記録媒体の利用効率を高める。【解決手段】オーディオデータを、上位ビットデータＡ１〜Ａ４と、下位ビットデータＢ１〜Ｂ４に分割し、上位ビットデータＡ１〜Ａ４を、記録媒体に記録する一方、下位ビットデータＢ１〜Ｂ４には、付帯情報Ｃ１〜Ｃ４を付加して記録し、再生時には、上位ビットデータＡ１〜Ａ４と下位ビットデータＢ１〜Ｂ４とからなる２４ビットのオーディオデータを生成する。【選択図】　図２
2004110865.tif 000002
【特許請求の範囲】
【請求項１】
所定の語長のオーディオデータを、前記所定の語長の複数チャンネルの記録領域を有する記録媒体に記録再生するオーディオ記録再生装置であって、
前記所定の語長よりも長いオーディオデータを、上位ビットデータと下位ビットデータとに分割して前記所定の語長以下のデータに変換する変換手段と、
前記所定の語長未満の前記下位ビットデータに付帯情報を付加する付加手段と、
前記上位ビットデータおよび前記付帯情報が付加された下位ビットデータを、前記記録媒体の複数チャンネルに記録する記録手段と、
前記記録媒体に記録された上位ビットデータおよび前記付帯情報が付加された下位ビットデータを、再生する再生手段と、
再生された上位ビットデータおよび下位ビットデータを、所定の語長よりも長い前記オーディオデータに逆変換する逆変換手段と、
を備えることを特徴とするオーディオ記録再生装置。
【請求項２】
前記上位ビットデータは、前記下位ビットデータの最上位ビットが、１であれば切り上げ、０であれば切り捨てる丸め処理されて前記所定の語長のデータに変換される請求項１記載のオーディオ記録再生装置。
【請求項３】
前記付帯情報は、前記丸め処理によって切り上げされたか、切り捨てされたかの丸め処理情報または丸め処理前の前記上位ビットデータの最下位ビットのデータを含む請求項２記載のオーディオ記録再生装置。
【請求項４】
前記付帯情報は、前記所定の語長よりも長いオーディオデータの上位ビットのデータおよびユーザビットのデータの少なくともいずれか一方を含む請求項１〜３のいずれかに記載のオーディオ記録再生装置。
【請求項５】
前記再生手段で再生された上位ビットデータを出力する請求項１〜４のいずれかに記載のオーディオ記録再生装置。
【請求項６】
前記所定の語長が１６ビットであって、前記所定の語長よりも長いオーディオデータが２４ビットのデータである請求項１￣５のいずれかに記載のオーディオ記録再生装置。
【発明の詳細な説明】
【０００１】
【産業上の利用分野】
本発明は、ディジタルオーディオデータを記録再生するオーディオ記録再生装置に関する。
【０００２】
【従来の技術】
従来、ディジタルオーディオデータを記録再生するオーディオ記録再生装置、例えば、ディジタルＶＴＲでは、記録されるディジタオーディオデータは、フォーマットによってビット長が固定となっており、例えば、フォーマットが１６ビットであれば、１６ビットモードでしか記録することができない。
【０００３】
このような１６ビットのマルチチャンネルフォーマットのディジタルＶＴＲにおいて、高音質化のために、例えば、２４ビットのディジタルオーディオデータも記録できるようにすることが望まれる。
【０００４】
従来、マルチチャンネルの録音機において、ディジタルオーディオデータを分割して複数チャンネルに記録するようにしたものがある（例えば、特許文献１）。
【０００５】
【特許文献１】
特開平１０−１０６１７１号公報
【０００６】
【発明が解決しょうとする課題】
このようにオーディオデータを複数チャンネルに分割して記録する場合に、例えば、１チャンネルの２４ビットのオーディオデータを、単に、１６ビットと８ビットのオーディオデータに分割して二つのチャンネルに記録再生すると、テープの利用効率が悪くなってしまう。
【０００７】
本発明は、上述のような点に鑑みて為されたものであって、ビット長の長い高音質のディジタルオーディオデータも記録再生できるようにするとともに、記録媒体の利用効率を高めたオーディオ記録再生装置を提供することを主たる目的とする。
【０００８】
【課題を解決するための手段】
本発明では、上述の目的を達成するために次のように構成している。
【０００９】
すなわち、本発明のオーディオ記録再生装置は、所定の語長のオーディオデータを、前記所定の語長の複数チャンネルの記録領域を有する記録媒体に記録再生するオーディオ記録再生装置であって、前記所定の語長よりも長いオーディオデータを、上位ビットデータと下位ビットデータとに分割して前記所定の語長以下のデータに変換する変換手段と、前記所定の語長未満の前記下位ビットデータに付帯情報を付加する付加手段と、前記上位ビットデータおよび前記付帯情報が付加された下位ビットデータを、前記記録媒体の複数チャンネルに記録する記録手段と、前記記録媒体に記録された上位ビットデータおよび前記付帯情報が付加された下位ビットデータを、再生する再生手段と、再生された上位ビットデータおよび下位ビットデータを、所定の語長よりも長い前記オーディオデータに逆変換する逆変換手段とを備えている。
【００１０】
本発明によると、所定の語長、例えば、１６ビットのオーディオデータを記録再生できるとともに、所定の語長よりも長いオーディオデータ、例えば、２４ビットのオーディオデータに対しては、上位ビットデータと下位ビットデータとに分割して前記所定の語長以下のデータに変換し、所定の語長よりも短い下位ビットデータには、付帯情報を付加し、上位ビットデータおよび付帯情報が付加された下位ビットデータを、記録媒体の複数チャンネルに記録し、また、記録媒体に記録された上位ビットデータおよび付帯情報が付加された下位ビットデータを再生し、上位ビットデータおよび下位ビットデータを、所定の語長よりも長いオーディオデータに逆変換するので、所定の語長よりも長いオーディオデータを記録再生することが可能となり、高音質のオーディオデータの記録再生が可能となる。しかも、所定の語長よりも短い下位ビットデータには、付帯情報が付加されて記録されるので、記録媒体の利用効率も向上する。
【００１１】
本発明の好ましい実施態様においては、前記上位ビットデータは、前記下位ビットデータの最上位ビットが、１であれば切り上げ、０であれば切り捨てる丸め処理されて前記所定の語長のデータに変換される。
【００１２】
本発明によると、所定の語長よりも長いオーディオデータを、上位ビットデータと下位ビットデータとに単に分割するのではなく、上位ビットデータは、下位ビットデータの最上位ビットが、１であれば切り上げ、０であれば切り捨てる、いわゆる、２進数における四捨五入である０捨１入を行なって丸め処理して所定の語長のデータに変換するので、例えば、所定の語長の上位ビットデータのみをそのまま出力して利用するような場合には、上位ビットデータを単に分割して丸め処理しない場合に比べて、高音質になる。
【００１３】
本発明の他の実施態様においては、前記付帯情報は、前記丸め処理によって切り上げされたか、切り捨てされたかの丸め処理情報または丸め処理前の前記上位ビットデータの最下位ビットのデータを含むものである。
【００１４】
本発明によれば、付帯情報として、切り上げされたか、切り捨てされたかの丸め処理情報または丸め処理前の上位ビットデータの最下位ビットのデータを含んでいるので、再生時には、丸め処理情報または丸め処理前の上位ビットデータの最下位ビットのデータを用いて、上位ビットデータおよび下位ビットデータを、所定の語長よりも長いオーディオデータに逆変換することが可能となる。
【００１５】
本発明の他の実施態様においては、前記付帯情報は、前記所定の語長よりも長いオーディオデータの上位ビットのデータおよびユーザビットのデータの少なくともいずれか一方を含むものである。
【００１６】
本発明によると、所定の語長よりも長いオーディオデータの上位ビットのデータは、付帯情報として、また、所定の語長の上位ビットデータとして、それぞれ異なるチャンネルに記録されることになるので、サーチの際に、前記異なるチャンネルの一方のチャンネルで再生出来なかった上位ビットのデータを、他方のチャンネルで再生するといったことが可能となり、再生の際の音質が向上する。また、付帯情報としては、ユーザビットのデータを含んでいるので、利便性が向上する。
【００１７】
本発明の更に他の実施態様においては、前記再生手段で再生された上位ビットデータを出力するものである。
【００１８】
本発明によると、丸め処理された所定の語長の上位ビットデータを再生してそのまま出力することができるので、所定の語長、例えば、１６ビットのオーディオデータを利用したいユーザの要求に対応することができ、しかも、所定の語長の上位ビットデータは、丸め処理されているので、単に上位ビットデータを分割して丸め処理しない場合に比べて、高音質になる。
【００１９】
本発明の一実施態様においては、前記所定の語長が１６ビットであって、前記所定の語長よりも長いオーディオデータが２４ビットのデータである。
【００２０】
本発明によると、１６ビットのオーディオデータを複数チャンネルの記憶領域を有する記録媒体に記録再生する装置において、高音質の２４ビットのオーディオデータの記録再生が可能となる。
【００２１】
【発明の実施の形態】
以下、図面によって本発明の実施の形態について詳細に説明する。
（実施の形態１）
図１は、本発明に係るオーディオ記録再生装置の要部のブロック図であり、このオーディオ記録再生装置は、ディジタルＶＴＲに装備されている。
【００２２】
このオーディオ記録再生装置は、マルチチャンネルの記録再生装置であって、所定の語長である１６ビットのオーディオデータを、ＣＨ１￣ＣＨ８までの８チャンネルで記録再生できるものであり、さらに、１６ビットよりも長い２４ビットのオーディオデータを、４チャンネルで記録再生できるように次のように構成されている。
【００２３】
すなわち、この実施の形態のオーディオ記録再生装置は、図２に示されるように、ＣＨ１￣ＣＨ４までの２４ビットのオーディオデータを、上位１６ビットの上位ビットデータＡ１〜Ａ４と、下位８ビットの下位ビットデータＢ１〜Ｂ４に単に分割するのではなく、上位ビットデータＡ１〜Ａ４については、上位１７ビット目のデータ、すなわち、下位ビットデータＢ１〜Ｂ４の最上位ビットのデータが、１であれば切り上げ、０であれば切り捨てる、いわゆる、２進数における四捨五入である０捨１入を行なって丸め処理して所定の語長の上位ビットデータＡ１’〜Ａ４’に変換するものである。
【００２４】
これら上位ビットデータＡ１’〜Ａ４’を、記録媒体のＣＨ１〜ＣＨ４の１６ビット領域にそれぞれ記録する一方、下位８ビットの下位ビットデータＢ１〜Ｂ４には、後述する付帯情報Ｃ１〜Ｃ４を付加して記録媒体のＣＨ５〜ＣＨ８の１６ビット領域にそれぞれ記録するものである。
【００２５】
下位ビットデータＢ１〜Ｂ４は、８ビットであるので、下位ビットデータＢ１〜Ｂ４の記録だけでは、記録媒体のＣＨ５〜ＣＨ８の１６ビット領域には、８ビットの空き領域ができることになるので、この空き領域を利用して付帯情報Ｃ１〜Ｃ４を記録するのである。
【００２６】
この付帯情報Ｃ１〜Ｃ４には、下位ビットデータＢ１〜Ｂ４の最上位ビットのデータに基づく０捨１入の丸め処理によって切り上げが行なわれたか、切り捨てが行なわれたかを示す１ビットの丸め処理情報を含んでいる。
【００２７】
再生時には、記録媒体のＣＨ１〜ＣＨ４に記録されている丸め処理された上位ビットデータＡ１’〜Ａ４’を再生するとともに、記録媒体のＣＨ５〜ＣＨ８に記録されている付帯情報Ｃ１〜Ｃ４がそれぞれ付加された下位ビットデータＢ１〜Ｂ４を再生し、丸め処理によって切り上げされたか、切り捨てされたかの丸め処理情報に基づいて、丸め処理された上位ビットデータＡ１’〜Ａ４’と下位ビットデータＢ１〜Ｂ４とを、逆変換して上位ビットデータＡ１〜Ａ４と下位ビットデータＢ１〜Ｂ４とからなる２４ビットのオーディオデータを生成するものである。
【００２８】
このため、この実施の形態のオーディオ記録再生装置は、図１に示されるように、２４ビットのオーディオデータを、２進数の場合の四捨五入である０捨１入によって１６ビットの上位ビットデータに丸め処理するとともに、８ビットの下位ビットデータを分割して１６ビット長以下のデータに変換する変換手段１と、下位ビットデータに、丸め処理情報を含む付帯情報を付加する付加手段２と、上位ビットデータおよび前記付帯情報が付加された下位ビットデータを、記録媒体３としての磁気テープの複数のチャンネルＣＨ１〜ＣＨ８に記録する記録手段４と、記録媒体３に記録された上位ビットデータおよび付帯情報が付加された下位ビットデータを、再生する再生手段５と、再生された上位ビットデータおよび下位ビットデータを、前記付帯情報に含まれる丸め処理情報に基づいて、２４ビットのオーディオデータに逆変換する逆変換手段６とを備えている。
【００２９】
記録手段４は、記録ヘッドおよびエンコーダなどを備えており、再生手段５は、再生ヘッドおよびデコーダなどを備えている。
【００３０】
この実施の形態のオーディオ記録再生装置は、従来と同様に、所定の語長である１６ビットのオーディオデータを、ＣＨ１￣ＣＨ８までの８チャンネルに記録再生できるものであり、このように１６ビットのオーディオデータを記録再生する場合には、変換手段１、付加手段２および逆変換手段６などで処理されることなくスルーされて従来と同様に１６ビット８チャンネルのオーディオデータの記録再生が行なわれる。
【００３１】
このため、所定の語長である１６ビットのオーディオデータであるのか、所定の語長よりも長い２４ビットのオーディオデータであるかを、例えば、図示しない選択スイッチによって選択することにより、対応するビット長情報７が、テープフォーマットに従って記録媒体３に記録あるいは再生され、このビット長情報に基づいて、１６ビットのオーディオデータまたは２４ビットのオーディオデータとしての記録再生動作が行なわれる。
【００３２】
さらに、この実施の形態では、上述のようにして、２４ビットのオーディオデータが記録された記録媒体３から２４ビットのオーディオデータを再生出力するのではなく、例えば、ＳＤＴＩ（Ｓｅｒｉａｌ　Ｄａｔａ　Ｔｒａｎｓｐｏｒｔ　Ｉｎｔｅｒｆａｃｅ［ＳＭＰＴＥ３０５Ｍ］）通信で１６ビットのオーディオデータしか受け付けない別のＶＴＲに出力したいような場合に対応できるように、すなわち、１６ビットのオーディオデータとして再生出力したいユーザの要求に対応できるように、例えば、図示しない出力選択スイッチの選択操作に応じて、２４ビットのオーディオデータとして、あるいは、１６ビットのオーディオデータとして再生出力できるように構成されている。
【００３３】
１６ビットの再生出力が選択されると、再生手段５によって再生されたＣＨ１〜ＣＨ４の１６ビットの上位ビットデータが、逆変換手段６で処理されることなく、スルーされてそのまま出力されるようになっている。
【００３４】
上述の図２に示されるように、再生された上位ビットデータＡ１’〜Ａ４’は、上述のように、下位ビットデータＢ１〜Ｂ４の最上位ビットのデータの０捨１入によって丸め処理されたデータであるので、２４ビットのオーディオデータから上位１６ビットのデータを単に分割した上位ビットデータＡ１〜Ａ４に比べて、２４ビットのオーディオデータにより近くなって精度が高いものとなり、再生出力の音質が向上することになる。
【００３５】
図３は、２４ビットのオーディオデータから単に上位１６ビットを分割して上位ビットデータとした場合と、上位１７ビット目を０捨１入して上位１６ビットを上位ビットデータとした場合の変換の特性を示す図である。この図３において、横軸は、変換前の２４ビットのオーディオデータを示し、縦軸は、変換後の１６ビットの上位ビットデータを示しており、いずれも１６進数（ｈｅｘａｄｅｃｉｍａｌ）表示としている。また、実線が丸め処理された場合を、破線が単に分割した場合をそれぞれ示している。
【００３６】
最上位ビット（ＭＳＢ）は、符号ビットであり、この図３に示されるように、丸め処理によって量子化ノイズが改善される。そのため、０レベル近辺のノイズレベルが抑制されてＳ／Ｎ比が向上して高音質となる。
【００３７】
このように、１６ビットのオーディオデータを利用したいユーザの要求に対しては、２進数における四捨五入である０捨１入によって丸め処理された１６ビットの上位ビットデータを再生してそのまま出力することができるので、単に分割された丸め処理していない上位ビットデータの場合に比べて、高音質になる。
【００３８】
この実施の形態では、切り上げされたか、切り捨てされたかの丸め処理情報を用いて２４ビットのオーディオデータを再生したけれども、本発明の他の実施の形態として、丸め処理情報に代えて、丸め処理前の上位ビットデータＡ１〜Ａ４の最下位ビットのデータを付帯情報として記録しておき、再生時には、再生された上位ビットデータＡ１’〜Ａ４’の最下位ビットのデータを、付帯情報の前記最下位ビットのデータと置き換えるようにして２４ビットのオーディオデータを再生するようにしてもよい。
【００３９】
また、本発明の他の実施の形態として、再生された下位ビットデータＢ１〜Ｂ４の最上位ビットのデータに基づいて、再生された上位ビットデータＡ１’〜Ａ４’が切り上げされたものであるか切り捨てさたものであるかを判断して２４ビットのオーディオデータを再生するようにしてもよい。
【００４０】
上述の実施の形態では、上位ビットデータＡ１〜Ａ４については、下位ビットデータＢ１〜Ｂ４の最上位ビットのデータが、１であれば切り上げ、０であれば切り捨てる、２進数における四捨五入である０捨１入を行なって丸め処理して所定の語長の上位ビットデータＡ１’〜Ａ４’としたけれども、本発明の他の実施の形態として、丸め処理することなく、２４ビットのオーディオデータを、上位１６ビットの上位ビットデータＡ１〜Ａ４と、下位８ビットの下位ビットデータＢ１〜Ｂ４に単に分割してもよい。この場合には、丸め処理情報等を付帯情報として付加する必要はない。
【００４１】
本発明の他の実施の形態では、付帯情報は、２４ビットのオーディオデータの上位最大８ビットの上位ビットのデータを含むようにしてもよい。この場合には、４チャンネルの２４ビットのオーディオデータの上位ビットデータは、上位ビットデータとして、ＣＨ１〜ＣＨ４の１６ビット領域に記録される一方、付帯情報として、ＣＨ５〜ＣＨ８の１６ビット領域に記録される。
【００４２】
このように、２４ビットのオーディオデータの上位ビットのデータを、記録媒体の異なる二つのチャンネルに、二重に記録することにより、高速サーチを行なうような場合には、異なるチャンネルの一方のチャンネルでは、上位ビットのデータを再生できなくても、他方のチャンネルでは、上位ビットのデータを再生できる場合があり、これによって、高速サーチの際の音質を向上させることができる。なお、付帯情報として、２４ビットのオーディオデータの上位ビットのデータを付加する場合には、１６ビットの上位ビットデータは、丸め処理してもよいし、丸め処理することなく、単に分割した上位ビットデータとしてもよい。
【００４３】
また、付帯情報としては、ユーザビットを含むようにしてもよく、例えば、複数のオーディオ入力ポートのいずれの入力ポートから入力されたオーディオデータであるかを示す情報として使用してもよい。
【００４４】
本発明では、付帯情報には、上述の丸め処理情報、丸め処理前の上位ビットデータの最下位ビットのデータ、２４ビットのオーディオデータの上位ビットのデータ、ユーザビットのデータの少なくともいずれか一つのデータを含むのが好ましい。
【００４５】
（その他の実施の形態）
上述の実施の形態では、ディジタルＶＴＲに適用して説明したけれども、本発明は、ディジタルＶＴＲに限るものではなく、マルチチャンネル録音機などであってもよい。
【００４６】
【発明の効果】
以上のように本発明によれば、所定の語長、例えば、１６ビットのオーディオデータを記録再生できるとともに、所定の語長よりも長いオーディオデータ、例えば、２４ビットの高音質のオーディオデータの記録再生が可能となる。しかも、所定の語長よりも短い下位ビットデータには、付帯情報が付加されて記録されるので、記録媒体の利用効率も向上する。
【００４７】
また、本発明によれば、所定の語長、例えば、１６ビットの上位ビットデータを再生してそのまま出力することができるので、１６ビットのオーディオデータを利用したいユーザの要求に対応することができ、しかも、上位ビットデータを、丸め処理しておくことによって、単に上位ビットデータを分割した場合に比べて、音質が向上する。
【図面の簡単な説明】
【図１】本発明の実施の形態の要部のブロック図である。
【図２】オーディオデータおよび付帯情報の記録領域を示す図である。
【図３】オーディオデータの上位ビットデータへの変換特性を示す図である。
【符号の説明】
１　　　　　　　　変換手段
２　　　　　　　　付加手段
３　　　　　　　　記録媒体
４　　　　　　　　記録手段
５　　　　　　　　再生手段
６　　　　　　　　逆変換手段
【図１】
2004110865.tif 000003
【図２】
2004110865.tif 000004
【図３】
2004110865.tif 000005